(57)【要約】【課題】根太材にベースパネルを貼り付けた後でも、根太材の高さを床下地の上部から調整することができる際根太を提供する。【解決手段】本考案に係る際根太２０は、支持ボルト２４と、貫通孔２７が設けられ、貫通孔２７の内面２７ａにおいて支持ボルト２４に螺合された受け具２６と、受け具２６に支持された根太材３０と、を含み、根太材３０は、ベースパネル５０が載置される第１上面３０ａと、第１上面３０ａよりも高い第２上面３０ｂと、第１上面３０ａと第２上面３０ｂとを接続し、ベースパネル５０と接する側面３０ｃと、を有し、側面３０ｃには、貫通孔２７と連通する切り欠き３４が設けられ、切り欠き３４は、平面視において、貫通孔２７と重なっている。【選択図】図４
0003227772.tif 000002
【実用新案登録請求の範囲】
【請求項１】
支持ボルトと、
貫通孔が設けられ、前記貫通孔の内面において前記支持ボルトに螺合された受け具と、
前記受け具に支持された根太材と、
を含み、
前記根太材は、
ベースパネルが載置される第１上面と、
前記第１上面よりも高い第２上面と、
前記第１上面と前記第２上面とを接続し、前記ベースパネルと接する側面と、
を有し、
前記側面には、前記貫通孔と連通する切り欠きが設けられ、
前記切り欠きは、平面視において、前記貫通孔と重なっている、際根太。
【請求項２】
請求項１において、
前記切り欠きは、１つの前記根太材に対して、複数設けられ、
前記受け具および前記支持ボルトの各々は、複数の前記切り欠きに対応して、複数設けられている、際根太。
【請求項３】
支持ボルトと、
貫通孔が設けられ、前記貫通孔の内面において前記支持ボルトに螺合された受け具と、
前記受け具に支持された根太材と、
を含み、
前記根太材は、
ベースパネルが載置される第１上面と、
前記第１上面よりも高い第２上面と、
前記第１上面と前記第２上面とを接続し、前記ベースパネルと接する側面と、
を有し、
前記第２上面には、前記貫通孔と連通する穴が設けられ、
前記穴は、平面視において、前記貫通孔と重なっている、際根太。
【請求項４】
請求項３において、
前記穴は、１つの前記根太材に対して、複数設けられ、
前記受け具および前記支持ボルトの各々は、複数の前記穴に対応して、複数設けられている、際根太。
【請求項５】
請求項１ないし４のいずれか１項において、
前記第１上面と前記第２上面との高さの差は、前記ベースパネルの厚さと同じである、際根太。
【請求項６】
請求項１ないし５のいずれか１項において、
前記支持ボルトの上端には、溝が設けられている、際根太。
【請求項７】
下床と、
前記下床上に設けられた請求項１ないし６のいずか１項に記載の際根太と、
前記際根太の前記第１上面に載置された前記ベースパネルと、
前記際根太の前記第２上面に載置された上床と、
を含む、二重床。
【請求項８】
請求項７において、
前記際根太は、前記支持ボルトの下端に取り付けられた防振材を含む、二重床。
【考案の詳細な説明】
【技術分野】
【０００１】
本考案は、際根太および二重床に関する。
【背景技術】
【０００２】
際根太を用いた二重床が知られている。二重床は、コンクリートスラブなどの下床（躯体床）の上に高さ調整可能な根太材を所定間隔で設置し、その上にベースパネル（ベースボード）を貼り付けて施工される（例えば特許文献１〜３参照）。根太のなかで、特に壁際に設置されるものを際根太という。
【先行技術文献】
【特許文献】
【０００３】
【特許文献１】特開２００７−１７７３９２号公報
【特許文献２】特開２００７−２０４９３０号公報
【特許文献３】特開２００７−２０４９３１号公報
【考案の概要】
【考案が解決しようとする課題】
【０００４】
特許文献１〜３の際根太では、根太材にベースパネルを貼り付けてしまうと、根太材の高さを調整することができなかった。そのため、床高の変更や根太材の高さに誤りがあった場合は、施工の工事をやり直す必要があった。
【０００５】
本考案のいくつかの態様に係る目的の１つは、根太材にベースパネルを貼り付けた後でも、根太材の高さを床下地の上部から調整することができる際根太を提供することにある。また、本考案のいくつかの態様に係る目的の１つは、上記の根太材を含む二重床を提供することにある。
【課題を解決するための手段】
【０００６】
本考案に係る際根太の一態様は、
支持ボルトと、
貫通孔が設けられ、前記貫通孔の内面において前記支持ボルトに螺合された受け具と、
前記受け具に支持された根太材と、
を含み、
前記根太材は、
ベースパネルが載置される第１上面と、
前記第１上面よりも高い第２上面と、
前記第１上面と前記第２上面とを接続し、前記ベースパネルと接する側面と、
を有し、
前記側面には、前記貫通孔と連通する切り欠きが設けられ、
前記切り欠きは、平面視において、前記貫通孔と重なっている。
【０００７】
このような際根太によれば、根太材にベースパネルを貼り付けた後でも、切り欠きを通して支持ボルトを回転させることにより、根太材の高さを調整することができる。
【０００８】
本考案に係る際根太の一態様において、
前記切り欠きは、１つの前記根太材に対して、複数設けられ、
前記受け具および前記支持ボルトの各々は、複数の前記切り欠きに対応して、複数設けられていてもよい。
【０００９】
このような際根太によれば、根太材を強固に支持することができる。
【００１０】
本考案に係る際根太の一態様は、
支持ボルトと、
貫通孔が設けられ、前記貫通孔の内面において前記支持ボルトに螺合された受け具と、
前記受け具に支持された根太材と、
を含み、
前記根太材は、
ベースパネルが載置される第１上面と、
前記第１上面よりも高い第２上面と、
前記第１上面と前記第２上面とを接続し、前記ベースパネルと接する側面と、
を有し、
前記第２上面には、前記貫通孔と連通する穴が設けられ、
前記穴は、平面視において、前記貫通孔と重なっている。
【００１１】
このような際根太によれば、根太材にベースパネルを貼り付けた後でも、穴を通して支持ボルトを回転させることにより、根太材の高さを調整することができる。
【００１２】
本考案に係る際根太の一態様において、
前記穴は、１つの前記根太材に対して、複数設けられ、
前記受け具および前記支持ボルトの各々は、複数の前記穴に対応して、複数設けられていてもよい。
【００１３】
このような際根太によれば、根太材を強固に支持することができる。
【００１４】
本考案に係る際根太の一態様において、
前記第１上面と前記第２上面との高さの差は、前記ベースパネルの厚さと同じであってもよい。
【００１５】
このような際根太によれば、第２上面に載置される上床の凹凸を小さくすることができる。
【００１６】
本考案に係る際根太の一態様において、
前記支持ボルトの上端には、溝が設けられていてもよい。
【００１７】
このような際根太によれば、例えばマイナスドライバーを切り欠き通して溝に係合させ、支持ボルトを回転させることができる。
【００１８】
本考案に係る二重床の一態様は、
下床と、
前記下床上に設けられた本考案に係る際根太の一態様と、
前記際根太の前記第１上面に載置された前記ベースパネルと、
前記際根太の前記第２上面に載置された上床と、
を含む。
【００１９】
このような二重床では、上床を載置する前に、切り欠きを通して支持ボルトを回転させることにより、根太材の高さを調整することができる。
【００２０】
本考案に係る二重床の一態様において、
前記際根太は、前記支持ボルトの下端に取り付けられた防振材を含んでもよい。
【００２１】
このような二重床では、上床の振動が下床に伝わり難くすることができる。
【図面の簡単な説明】
【００２２】
【図１】本実施形態に係る二重床を模式的に示す平面図。
【図２】本実施形態に係る二重床を模式的に示す側面図。
【図３】本実施形態に係る二重床を模式的に示す平面図。
【図４】本実施形態に係る二重床を模式的に示す断面図。
【図５】本実施形態に係る二重床の根太材を模式的に示す斜視図。
【図６】本実施形態に係る二重床の根太材を模式的に示す平面図。
【図７】本実施形態に係る二重床を模式的に示す断面図。
【図８】本実施形態に係る二重床の施工方法を説明するためのフローチャート。
【図９】本実施形態の第１変形例に係る二重床を模式的に示す断面図。
【図１０】本実施形態の第１変形例に係る二重床の根太材を模式的に示す平面図。
【図１１】本実施形態の第２変形例に係る二重床を模式的に示す断面図。
【考案を実施するための形態】
【００２３】
以下、本考案の好適な実施形態について、図面を用いて詳細に説明する。なお、以下に説明する実施形態は、実用新案登録請求の範囲に記載された本考案の内容を不当に限定するものではない。また、以下で説明される構成の全てが本考案の必須構成要件であるとは限らない。
【００２４】
１．  二重床
１．１．  構成
まず、本実施形態に係る二重床について、図面を参照しながら説明する。図１は、本実施形態に係る二重床１００を模式的に示す平面図である。図２は、本実施形態に係る二重床１００を模式的に示す側面図であって、図１の矢印ＩＩからみた図である。図３は、本実施形態に係る二重床１００を模式的に示す平面図であって、図１に示す領域Ａの拡大図である。図４は、本実施形態に係る二重床１００を示す図３のＩＩＩ−ＩＩＩ線断面図である。
【００２５】
二重床１００は、図１〜図４に示すように、例えば、下床１０と、際根太２０と、根太４０と、ベースパネル５０と、上床６０と、を含む。なお、便宜上、図１および図３では、上床６０の図示を省略している。
【００２６】
下床１０は、例えば、コンクリートスラブである。
【００２７】
際根太２０は、下床１０上に設けられている。際根太２０は、壁２の際に設けられている。際根太２０と壁２との間の距離は、根太４０と壁２との間の距離よりも小さい。図２に示す例では、壁２には、巾木４が設けられている。なお、便宜上、図１では、巾木４の図示を省略している。際根太２０は、図４に示すように、例えば、防振材２２と、支持ボルト２４と、受け具２６と、根太材３０と、を含む。
【００２８】
防振材２２は、下床１０上に設けられている。防振材２２は、支持ボルト２４の下端２４ｂに取り付けられている。防振材２２の材質は、ゴムである。防振材２２と支持ボルト２４との間には、防振材２２と支持ボルト２４とを接続するための接続部材（図示せず）が設けられていてもよい。
【００２９】
支持ボルト２４は、例えば、防振材２２に固定されている。支持ボルト２４は、受け具
２６を支持している。支持ボルト２４の材質は、例えば、ＡＢＳ（Acrylonitrile Butadiene Styrene）樹脂や変性ＰＰＥ（Poly Phenylene Ether）樹脂などのプラスチック（合成樹脂）、鋼製などの金属である。
【００３０】
支持ボルト２４の上端２４ａには、第１溝２５ａが設けられている。第１溝２５ａは、例えば、マイナスドライバー（図示せず）と係合する形状を有している。図２に示すように、支持ボルト２４の側面２４ｃには、第２溝２５ｂが設けられている。第２溝２５ｂは、支持ボルト２４に対して受け具２６を固定するための接着剤（図示せず）の通路となる。
【００３１】
受け具２６は、図４に示すように、支持ボルト２４に螺合されている。図示の例では、受け具２６は、支持ボルト２４の下端２４ｂよりも上端２４ａ側に位置している。受け具２６は、例えば、根太材３０を支持する支持部２６ａと、根太材３０に設けられた穴３２に収容された収容部２６ｂと、を有している。図示の例では、支持部２６ａの長さ（支持ボルト２４の回転軸に沿った長さ）Ｌ１は、収容部２６ｂの長さＬ２よりも大きい。受け具２６の材質は、例えば、支持ボルト２４と同じである。
【００３２】
受け具２６には、貫通孔２７が設けられている。受け具２６は、貫通孔２７の内面２７ａ（貫通孔２７を規定する受け具２６の面）において、支持ボルト２４に螺合されている。内面２７ａには、支持ボルト２４に螺合されている雌ねじ２７ｂが設けられている。支持ボルト２４の上端２４ａから接着剤を流す前の状態では、受け具２６は、支持ボルト２４が回転軸（図示せず）を中心として回転されることで高さ調整可能である。
【００３３】
根太材３０は、受け具２６に支持されている。根太材３０の材質は、例えば、木材である。根太材３０は、図１に示すように、壁２に沿って設けられている。根太材３０は、壁２と離間している。これにより、上床６０の振動が壁２に伝わり難くすることができる。ここで、図５は、根太材３０を模式的に示す斜視図である。図６は、根太材３０を模式的に示す平面図である。
【００３４】
根太材３０は、図４および図５に示すように、断面が略Ｌ字状となる形状を有している。根太材３０は、第１上面３０ａと、第２上面３０ｂと、側面３０ｃと、を有している。第１上面３０ａには、図４に示すように、ベースパネル５０が載置される。第２上面３０ｂは、第１上面３０ａよりも高い面である。第２上面３０ｂには、上床６０が載置される。第１上面３０ａと第２上面３０ｂとの高さの差ΔＨは、例えば、ベースパネル５０の厚さＴと同じである。第１上面３０ａと第２上面３０ｂとは、例えば、平行である。側面３０ｃは、第１上面３０ａと第２上面３０ｂとを接続している。側面３０ｃは、ベースパネル５０の端面５０ａと接している。側面３０ｃは、例えば、上面３０ａ，３０ｂと直交している。
【００３５】
根太材３０は、下面３０ｄを有している。下面３０ｄは、上面３０ａ，３０ｂとは反対側の面である。下面３０ｄは、例えば、上面３０ａ，３０ｂと平行である。下面３０ｄには、穴３２が設けられている。穴３２には、貫通孔２７が設けられた受け具２６の収容部２６ｂが収容されている。
【００３６】
根太材３０の側面３０ｃには、切り欠き３４が設けられている。切り欠き３４は、穴３２と連通している。切り欠き３４および穴３２は、根太材３０を貫通する貫通孔を構成している。さらに、切り欠き３４は、貫通孔２７と連通している。切り欠き３４は、平面視において（支持ボルト２４の回転軸に沿った方向からみて）、貫通孔２７と重なっている。そのため、図３に示すように、上床６０を設けていない状態において、切り欠き３４を通して、支持ボルト２４を視認することができる。
【００３７】
切り欠き３４は、１つの根太材３０に対して、複数設けられている。防振材２２、支持ボルト２４、および受け具２６の各々は、複数の切り欠き３４に対応して、複数設けられている。すなわち、防振材２２、支持ボルト２４、受け具２６、および切り欠き３４の数は、同じである。図５および図６に示す例では、１つの根太材３０に対して、防振材２２、支持ボルト２４、受け具２６、および切り欠き３４の数は、２つずつ設けられている。なお、図示はしないが、切り欠き３４は、１つの根太材３０に対して、１つだけ設けられていてもよい。
【００３８】
根太４０は、図２に示すように、下床１０上に設けられている。根太４０は、上床６０を支持している。ここで、図７は、根太４０を模式的に示す断面図である。根太４０は、図７に示すように、例えば、防振材４２と、支持ボルト４４と、受け具４６と、根太材４８と、を含む。防振材４２、支持ボルト４４、および受け具４６については、それぞれ、上述した防振材２２、支持ボルト２４、および受け具２６の説明を適用することができる。根太材４８には、貫通孔４９が設けられている。根太４０は、上床６０が設けられていない状態において、貫通孔４９から支持ボルト４４が視認できる構造を有している。
【００３９】
ベースパネル５０は、際根太２０上および根太４０上に設けられている。図４に示す例では、ベースパネル５０は、際根太２０の第１上面３０ａに載置されている。図１に示す例では、際根太２０および根太４０の各々は、複数設けられ、複数のベースパネル５０が複数の際根太２０上および複数の根太４０上に敷き詰められている。ベースパネル５０は、接着剤などによって、際根太２０の根太材３０および根太４０の根太材４８に貼り付けられていてもよい。ベースパネル５０の形状は、板状である。ベースパネル５０は、例えば、合板、パーティクルボードなどである。
【００４０】
上床６０は、際根太２０上およびベースパネル５０上に設けられている。図４に示す例では、上床６０は、際根太２０の第２上面３０ｂに載置されている。上床６０は、建物の内外装に使用され、直接目に触れる部材である。上床６０の形状は、例えば、板状である。上床６０は、複数の床材（仕上げ材）で構成されていてもよい。複数の床材は、ベースパネル５０上に敷き詰められていてもよい。床材は、例えば、フローリング、絨毯、畳などである。
【００４１】
１．２．  施工方法
次に、本実施形態に係る二重床１００の施工方法について、図面を参照しながら説明する。図８は、本実施形態に係る二重床１００の施工方法を説明するためのフローチャートである。
【００４２】
まず、例えば直方体の角材を、断面が略Ｌ字状になるように加工して、根太材３０を形成する（ステップＳ１）。
【００４３】
次に、根太材３０に穴３２および切り欠き３４を形成する（ステップＳ２）。穴３２および切り欠き３４の形成順序は、特に限定されない。
【００４４】
次に、穴３２に受け具２６を挿入し、根太材３０に受け具２６を取り付ける（ステップＳ３）。
【００４５】
次に、受け具２６に支持ボルト２４を挿入し、受け具２６に支持ボルト２４を螺合させる（ステップＳ４）。
【００４６】
次に、支持ボルト２４の下端２４ｂに防振材２２を取り付ける（ステップＳ５）。なお
、支持ボルト２４の下端２４ｂに防振材２２を取り付けた後に、受け具２６に支持ボルト２４を螺合させてもよい。
【００４７】
次に、際根太２０の第１上面３０ａおよび根太４０の上面に、ベースパネル５０を貼り付ける（ステップＳ６）。
【００４８】
次に、下床１０上に、際根太２０および根太４０を配置する（ステップＳ７）なお、際根太２０および根太４０を下床１０上に配置した後に、ベースパネル５０を際根太２０および根太４０に貼り付けてもよい。
【００４９】
次に、切り欠き３４からマイナスドライバーを挿入して、マイナスドライバーを第１溝２５ａに係合させ、支持ボルト２４を回転させて、根太材３０の高さを調節する（ステップ８）。さらに、根太４０の支持ボルト４４を回転させて、根太材４８の高さを調整する。ベースパネル５０を複数設ける場合は、例えば、全てのベースパネル５０を貼り付けた後に、根太材３０，４８の高さを調節する。
【００５０】
次に、際根太２０の支持ボルト２４の上端２４ａから接着剤を流して、支持ボルト２４に対して受け具２６を固定する（ステップＳ９）。上端２４ａから流された接着剤は、支持ボルト２４の側面２４ｃに設けられた第２溝２５ｂを通って、下端２４ｂの方向へ向かう。この接着剤によって、支持ボルト２４と受け具２６とが固定される。同様に、根太４０の支持ボルト４４の上端から接着剤を流す。
【００５１】
次に、際根太２０の第２上面３０ｂおよびベースパネル５０の上面に、上床６０を貼り付ける（ステップＳ１０）。
【００５２】
以上により、二重床１００を施工することができる。
【００５３】
１．３．  作用効果
際根太２０では、根太材３０は、ベースパネル５０が載置される第１上面３０ａと、第１上面３０ａよりも高い第２上面３０ｂと、第１上面３０ａと第２上面３０ｂとを接続し、ベースパネル５０と接する側面３０ｃと、を有している。そして、側面３０ｃには、貫通孔２７と連通する切り欠き３４が設けられ、切り欠き３４は、平面視において、貫通孔２７と重なっている。そのため、際根太２０では、根太材３０にベースパネル５０を貼り付けた後でも、切り欠き３４を通して支持ボルト２４を回転させることにより、根太材３０の高さを床下地の上部から（ベースパネル５０の上方から）調整することができる。
【００５４】
際根太２０では、第１上面３０ａと第２上面３０ｂとの高さの差ΔＨは、ベースパネル５０の厚さＴと同じである。そのため、高さの差ΔＨが厚さＴと異なる場合に比べて、上床６０の凹凸を小さくすることができる。
【００５５】
際根太２０では、切り欠き３４は、１つの根太材３０に対して、複数設けられ、受け具２６および支持ボルト２４の各々は、複数の切り欠き３４に対応して、複数設けられている。そのため、際根太２０では、１つの根太材３０に対して１つの切り欠き３４しか設けられていない場合に比べて、根太材３０を強固に支持することができる。
【００５６】
際根太２０では、支持ボルト２４の上端２４ａには、第１溝２５ａが設けられている。そのため、際根太２０では、例えばマイナスドライバーを切り欠き３４通して第１溝２５ａに係合させ、支持ボルト２４を回転させることができる。
【００５７】
二重床１００では、下床１０と、下床１０上に設けられた際根太２０と、際根太２０の
第１上面３０ａに載置されたベースパネル５０と、際根太２０の第２上面３０ｂに載置された上床６０と、を含む。そのため、二重床１００では、上床６０を載置する前に、切り欠き３４を通して支持ボルト２４を回転させることにより、根太材３０の高さを調整することができる。
【００５８】
二重床１００では、際根太２０は、支持ボルト２４の下端２４ｂに取り付けられた防振材２２を含む。そのため、二重床１００では、上床６０の振動が下床１０に伝わり難くすることができる。
【００５９】
２．  変形例
２．１．  第１変形例
次に、本実施形態の第１変形例に係る二重床について、図面を参照しながら説明する。図９は、本実施形態の第１変形例に係る二重床２００を模式的に示す断面図である。図１０は、本実施形態の第１変形例に係る二重床２００の根太材３０を模式的に示す平面図である。
【００６０】
以下、本実施形態の第１変形例に係る二重床２００において、上述した本実施形態に係る二重床１００の構成部材と同様の機能を有する部材については同一の符号を付し、その詳細な説明を省略する。このことは、後述する本実施形態の第２変形例に係る二重床において同様である。
【００６１】
上述した二重床１００では、図４および図６に示すように、根太材３０の側面３０ｃに切り欠き３４が設けられていた。
【００６２】
これに対し、二重床２００では、図９および図１０に示すように、根太材３０の第２上面３０ｂに穴２３４が設けられている。
【００６３】
切り欠き３４と同様に、穴２３４は、貫通孔２７と連通している。穴２３４は、平面視において、貫通孔２７と重なっている。穴２３４は、例えば、１つの根太材３０に対して、複数設けられている。防振材２２、支持ボルト２４、および受け具２６の各々は、例えば、複数の穴２３４に対して、複数設けられている。
【００６４】
二重床２００では、二重床１００と同様に、根太材３０にベースパネル５０を貼り付けた後でも、穴２３４を通して支持ボルト２４を回転させることにより、根太材３０の高さを調整することができる。
【００６５】
２．２．  第２変形例
次に、本実施形態の第２変形例に係る二重床について、図面を参照しながら説明する。図１１は、本実施形態の第２変形例に係る二重床３００を模式的に示す断面図である。以下、本実施形態の第２変形例に係る二重床３００において、上述した本実施形態に係る二重床１００の構成部材と同様の機能を有する部材については同一の符号を付し、その詳細な説明を省略する。
【００６６】
上述した二重床１００では、図４に示すように、受け具２６の支持部２６ａの長さＬ１は、受け具２６の収容部２６ｂの長さＬ２よりも大きかった。
【００６７】
これに対し、二重床３００では、図１１に示すように、支持部２６ａの長さＬ１は、収容部２６ｂの長さＬ２よりも小さい。そのため、二重床３００では、例えば、根太材３０の高さを低くすることができる。
【００６８】
上述した実施形態および変形例は一例であって、これらに限定されるわけではない。例えば、各実施形態および各変形例を適宜組み合わせることも可能である。
【００６９】
本考案は、実施の形態で説明した構成と実質的に同一の構成、例えば、機能、方法及び結果が同一の構成、あるいは目的及び効果が同一の構成を含む。また、本考案は、実施の形態で説明した構成の本質的でない部分を置き換えた構成を含む。また、本考案は、実施の形態で説明した構成と同一の作用効果を奏する構成又は同一の目的を達成することができる構成を含む。また、本考案は、実施の形態で説明した構成に公知技術を付加した構成を含む。
【符号の説明】
【００７０】
２…壁、４…巾木、１０…下床、２０…際根太、２２…防振材、２４…支持ボルト、２４ａ…上端、２４ｂ…下端、２５ａ…第１溝、２５ｂ…第２溝、２６…受け具、２６ａ…支持部、２６ｂ…収容部、２７…貫通孔、２７ａ…内面、２７ｂ…雌ねじ、３０…根太材、３０ａ…第１上面、３０ｂ…第２上面、３０ｃ…側面、３０ｄ…下面、３２…穴、３４…切り欠き、４０…根太、４２…防振材、４４…支持ボルト、４６…受け具、４８…根太材、４９…貫通孔、５０…ベースパネル、５０ａ…端面、６０…上床、１００，２００…二重床、２３４…穴、３００…二重床
【図１】
0003227772.tif 000003
【図２】
0003227772.tif 000004
【図３】
0003227772.tif 000005
【図４】
0003227772.tif 000006
【図５】
0003227772.tif 000007
【図６】
0003227772.tif 000008
【図７】
0003227772.tif 000009
【図８】
0003227772.tif 000010
【図９】
0003227772.tif 000011
【図１０】
0003227772.tif 000012
【図１１】
0003227772.tif 000013